(57)【要約】      （修正有）【課題】記録再生時において低コストに電磁放射を低減させることが出来る光ピックアップおよびそれを用いた光ディスク装置を提供する。【解決手段】レーザ光をライトストラテジ信号などの駆動電流に基づいて変調するレーザダイオードと、レーザダイオード駆動電流の第一の出力端を有するドライバと、ドライバの第一の出力端と前記レーザダイオードの第一の端子とが電気的に接続される第一の線路と、信号線路と少なくとも1箇所以上で隣接して配線されかつレーザダイオードの第二の端子とが電気的に接続される第二の線路と、第一及び第二の線路とを含むプリント基板と、ドライバの放熱用金属カバーと、レンズなどを具備する光ピックアップ本体とを備え、第一及び第二の線路は上下に配置される二層構造となり、二層構造において第一及び第二の線路のうち放熱カバーに近い方の線路における線路幅をもう一方の線路幅よりも拡幅する。【選択図】図１Ａ
2013093075.tif 000002
【特許請求の範囲】
【請求項１】
レーザ光を用いて光ディスクに情報を記録または再生の少なくとも一方を行なう光ピックアップであって、
光学レンズ及び光学ミラーを具備する光ピックアップ光学系と、
前記光ピックアップ光学系の上方に設置されたフレキシブルプリント基板と、
前記フレキシブルプリント基板の上方に設置された放熱カバーと、
ライトストラテジ信号または高周波重畳信号を生成するレーザダイオードドライバと、
前記ライトストラテジ信号または前記高周波重畳信号を駆動電流とし、前記駆動電流に基づいて変調されたレーザ光を出力する第１のレーザダイオードと、
前記フレキシブルプリント基板に形成され、前記第１のレーザダイオードの第1の端子と固定電位を与える端子とを接続する第1の線路と、
前記フレキシブルプリント基板に形成され、前記第１のレーザダイオードの第２の端子と前記レーザダイオードドライバの出力端子とを接続する第２の線路と、を有し、
前記第１の線路と前記第２の線路とは、少なくとも一箇所以上で前記フレキシブルプリント基板の積層方向となる上下方向に対向する二層構造を形成し、
前記第１の線路および前記第２の線路のうち、前記放熱カバー側に形成された線路は、前記光ピックアップ光学系側に形成された線路よりも前記積層方向に直交する方向に線路幅が広い
ことを特徴とする光ピックアップ。
【請求項２】
請求項１において、
前記二層構造は前記光ピックアップ光学系の筺体を納めるケースに沿って折り曲げまたは湾曲している曲げ部分を有し、
前記フレキシブルプリント基板における前記曲げ部分は、前記第１の線路と前記第２の線路とが形成され前記折り曲げまたは湾曲が生じない部分より細く形成される
ことを特徴とする光ピックアップ。
【請求項３】
請求項１において、
前記光ピックアップはさらに、
駆動電流に基づいて変調されたレーザ光を出力する第２のレーザダイオードと、
前記フレキシブルプリント基板に形成され、前記第２のレーザダイオードの第1の端子と前記レーザダイオードドライバの出力端子とを接続する第３の線路と、を有し、
前記第２のレーザダイオードの第２の端子は前記第１の線路に接続され、
前記第１の線路と前記第３の線路とは、前記フレキシブルプリント基板の積層方向となる上下方向に対向する二層構造を形成し、
前記第３の線路は前記フレキシブルプリント基板における前記第２の線路が形成された層に形成され、
前記第１の線路の幅は、前記第２の線路幅と前記第３の線路幅と第２及び第３の線路間隔との和よりも広い
ことを特徴とする光ピックアップ。
【請求項４】
請求項１において、
前記第１のレーザダイオードの前記第1の端子がアノードである場合、前記固定電位を与える端子は電源端子であり、
前記第１のレーザダイオードの前記第1の端子がカソードである場合、前記固定電位を与える端子は接地端子である
ことを特徴とする光ピックアップ。
【請求項５】
請求項１において、
前記光ピックアップ光学系を納める筺体は非金属製の材質である
ことを特徴とする光ピックアップ。
【請求項６】
請求項１において、
前記放熱カバーは金属製の材質である
ことを特徴とする光ピックアップ。
【請求項７】
請求項１において、
前記放熱カバーと前記レーザダイオードドライバの接地電位配線は少なくとも1箇所以上で電気的に接続されている、
ことを特徴とする光ピックアップ。
【請求項８】
レーザ光を用いて光ディスクに情報を記録または再生の少なくとも一方を行なう光ディスク装置であって、
光学レンズ及び光学ミラーを具備する光ピックアップ光学系と、
前記光ピックアップ光学系の上方に設置されたフレキシブルプリント基板と、
前記フレキシブルプリント基板の上方に設置された放熱カバーと、
前記光ディスクに記録または再生する情報に基づいて、ライトストラテジ信号または高周波重畳信号の生成を指示する制御信号を生成するデジタルシグナルプロセッサと、
前記制御信号に基づいて、前記ライトストラテジ信号または前記高周波重畳信号を生成するレーザダイオードドライバと、
前記ライトストラテジ信号または前記高周波重畳信号を駆動電流とし、前記駆動電流に基づいて変調されたレーザ光を出力する第１のレーザダイオードと、
前記フレキシブルプリント基板に形成され、前記第１のレーザダイオードの第1の端子と固定電位を与える端子とを接続する第1の線路と、
前記フレキシブルプリント基板に形成され、前記第１のレーザダイオードの第２の端子と前記レーザダイオードドライバの出力端子とを接続する第２の線路と、を有し、
前記第一の線路と前記第二の線路とは、少なくとも一箇所以上で前記フレキシブルプリント基板の積層方向となる上下方向に対向する二層構造を形成し、
前記第１の線路および前記第２の線路のうち、前記放熱カバー側に形成された線路は、前記光ピックアップ光学系側に形成された線路よりも前記積層方向に直交する方向に線路幅が広い
ことを特徴とする光ディスク装置。
【請求項９】
請求項８において、
前記二層構造は前記光ピックアップ光学系の筺体を納めるケースに沿って折り曲げまたは湾曲している曲げ部分を有し、
前記曲げ部分は、前記第一の線路と前記第二の線路が形成され、前記折り曲げまたは湾曲が生じない部分よりも前記フレキシブルプリント基板が細く形成される、
ことを特徴とする光ディスク装置。
【請求項１０】
請求項８において、
前記光ピックアップはさらに、
駆動電流に基づいて変調されたレーザ光を出力する第２のレーザダイオードと、
前記フレキシブルプリント基板に形成され、前記第２のレーザダイオードの第1の端子と前記レーザダイオードドライバの出力端子とを接続する第３の線路と、を有し、
前記第２のレーザダイオードの第２の端子は前記第１の線路に接続され、
前記第１の線路と前記第３の線路とは、前記フレキシブルプリント基板の積層方向となる上下方向に対向する二層構造を形成し、
前記第３の線路は前記フレキシブルプリント基板における前記第２の線路が形成された層に形成され
前記第１の線路の幅は、前記第２の線路幅と前記第３の線路幅と第２及び第３の線路間隔との和よりも広い
ことを特徴とする光ディスク装置。
【請求項１１】
請求項８において、
前記第１のレーザダイオードの前記第1の端子がアノードである場合、前記固定電位を与える端子は電源端子であり、
前記第１のレーザダイオードの前記第1の端子がカソードである場合、前記固定電位を与える端子は接地端子である
ことを特徴とする光ディスク装置。
【請求項１２】
請求項８において、
前記光ピックアップ光学系を納める筺体は非金属製の材質である
ことを特徴とする光ディスク装置。
【請求項１３】
請求項８において、
前記放熱カバーは金属製の材質である
ことを特徴とする光ディスク装置。
【請求項１４】
請求項８において、
前記放熱カバーと前記レーザダイオードドライバの接地電位配線は少なくとも1箇所以上で電気的に接続されている、
ことを特徴とする光ディスク装置。
【発明の詳細な説明】
【技術分野】
【０００１】
本発明は、光ピックアップ、およびそれを用いた光ディスク装置に関するものであって、特に電磁放射低減に関するものである。
【背景技術】
【０００２】
レーザ光を用いて情報をディスクに記録・再生を行なう光ピックアップおよびそれを用いた光ディスク装置では、記録・再生時に機器外部への電磁放射・電磁妨害を発生する問題が多発している。光ディスク装置の電磁放射が規格で定められた制限値を超えた場合は装置の出荷自体が出来なくなるため、その根本的な原因解析と対策考案が課題であった。
【０００３】
記録・再生時における電磁放射は、光ピックアップ内でレーザダイオードドライバ（ＬＤＤ：Ｌａｓｅｒ  Ｄｉｏｄｅ  Ｄｒｉｖｅｒ）からレーザダイオード（ＬＤ：Ｌａｓｅｒ  Ｄｉｏｄｅ）までの伝送路を、ＬＤ駆動電流が流れることに伴う電磁放射が要因と考えられている。光ピックアップにはＬＤＤやＬＤを放熱するための少なくとも１つ以上の放熱カバーが具備されているが、上記の電磁放射が光ピックアップの外部へ漏洩しないようにシールドする目的としても用いられている。これに関連する技術として、例えば特許文献１や特許文献２などが開示されている。
【先行技術文献】
【特許文献】
【０００４】
【特許文献１】特開２０１１−８６３３６号公報
【特許文献２】特開２００９−１５９９８号公報
【発明の概要】
【発明が解決しようとする課題】
【０００５】
近年の光ディスク装置では記録倍速がますます高速化しており、それに応じて記録信号（ライトストラテジ信号）波形すなわちＬＤ駆動電流は高周波化するとともに、振幅も増大する。一方、再生時はディスクからの反射光がＬＤ出力端面へと戻りノイズとなること(戻り光ノイズ)を防ぐために、数百ＭＨｚの高周波重畳信号でＬＤを変調してマルチモード発光させて再生を行なっている。しかし、再生倍速の高速化に伴って再生信号の周波数成分がこの高周波重畳信号の周波数に近づいて再生エラーを引き起こすため、これを防止するために、重畳する信号の周波数の高周波化が進んでいる。
【０００６】
上記のような理由から、記録・再生の高倍速化が進んだ近年の光ディスク装置では、機器内部における信号の高周波化や大振幅化が進んでいる。これにより、これまで考慮していなかった部品間・線路間の浮遊容量により予期せぬノイズ伝播経路が形成される。また、より小さな物理的寸法で共振・電磁放射が起こり得るようになるため、これまで以上に電磁放射の問題が多発することとなる。
【０００７】
その一方で、装置の低コスト化も急ピッチで進んでいる。例えば、ＬＤやレンズ、ミラーなどの光学部品が組み込まれる光ピックアップ本体部分は、従来の金属製（図６、光ピックアップ本体２１）から非金属製（例えば樹脂製）（図５Ａ、光ピックアップ本体６）への変更が進んでいる。従来、大きな体積を占める金属製の光ピックアップ本体は安定的な接地電位として用いられており、放熱カバーを光ピックアップ本体と多くの箇所で電気的に接続（例えば図６、放熱カバーと光ピックアップの接続点２３）することで放射効率を低下させている（特許文献２）。しかし、光ピックアップ本体が樹脂化したことにより、接地電位から見た放熱カバーのインピーダンスは上昇し、放射効率が高くなると考えられる。また、高倍速化が進んだ背景も加わり、電磁放射の問題が頻発するようになった。
【０００８】
電磁妨害低減の一般的な取り組みとして、例えば放熱カバーの形状変更や導通条件変更の実施、ＬＤＤとＬＤを接続する伝送路周辺に電磁波吸収シートや導電性テープ（シールド）の貼付などを実施したのち、その効果を測定によって確認するといったカット＆トライの作業が行なわれている。この場合、開発の遅延や部材追加のコストが大きな問題となる。
【０００９】
したがって本発明の目的は、記録再生時において低コストに電磁放射を低減させることが出来る光ピックアップおよびそれを用いた光ディスク装置を提供することである。
【課題を解決するための手段】
【００１０】
上記課題を解決する手段の一例を挙げるならば以下の通りである。すなわち、本発明における光ピックアップは、レーザ光を用いて光ディスクに情報を記録または再生の少なくとも一方を行なう光ピックアップであって、光学レンズ及び光学ミラーを具備する光ピックアップ光学系と、前記光ピックアップ光学系の上方に設置されたフレキシブルプリント基板と、前記フレキシブルプリント基板の上方に設置された放熱カバーと、ライトストラテジ信号または高周波重畳信号を生成するレーザダイオードドライバと、前記ライトストラテジ信号または前記高周波重畳信号を駆動電流とし、前記駆動電流に基づいて変調されたレーザ光を出力する第１のレーザダイオードと、前記フレキシブルプリント基板に形成され、前記第１のレーザダイオードの第1の端子と固定電位を与える端子とを接続する第1の線路と、前記フレキシブルプリント基板に形成され、前記第１のレーザダイオードの第２の端子と前記レーザダイオードドライバの出力端子とを接続する第２の線路と、を有し、前記第１の線路と前記第２の線路とは、少なくとも一箇所以上で前記フレキシブルプリント基板の積層方向となる上下方向に対向する二層構造を形成し、前記第１の線路および前記第２の線路のうち、前記放熱カバー側に形成された線路は、前記光ピックアップ光学系側に形成された線路よりも前記積層方向に直交する方向に線路幅が広いことを特徴とする。
【００１１】
また、本発明における光ディスク装置は、レーザ光を用いて光ディスクに情報を記録または再生の少なくとも一方を行なう光ディスク装置であって、光学レンズ及び光学ミラーを具備する光ピックアップ光学系と、前記光ピックアップ光学系の上方に設置されたフレキシブルプリント基板と、前記フレキシブルプリント基板の上方に設置された放熱カバーと、前記光ディスクに記録または再生する情報に基づいて、ライトストラテジ信号または高周波重畳信号の生成を指示する制御信号を生成するデジタルシグナルプロセッサと、前記制御信号に基づいて、前記ライトストラテジ信号または前記高周波重畳信号を生成するレーザダイオードドライバと、前記ライトストラテジ信号または前記高周波重畳信号を駆動電流とし、前記駆動電流に基づいて変調されたレーザ光を出力する第１のレーザダイオードと、前記フレキシブルプリント基板に形成され、前記第１のレーザダイオードの第1の端子と固定電位を与える端子とを接続する第1の線路と、前記フレキシブルプリント基板に形成され、前記第１のレーザダイオードの第２の端子と前記レーザダイオードドライバの出力端子とを接続する第２の線路と、を有し、前記第一の線路と前記第二の線路とは、少なくとも一箇所以上で前記フレキシブルプリント基板の積層方向となる上下方向に対向する二層構造を形成し、前記第１の線路および前記第２の線路のうち、前記放熱カバー側に形成された線路は、前記光ピックアップ光学系側に形成された線路よりも前記積層方向に直交する方向に線路幅が広いことを特徴とする。
【発明の効果】
【００１２】
本発明によれば、記録再生時の電磁放射を低減させることが出来る。また、電磁放射低減のために実施していた様々な対策を省略することが出来るため、コスト低減にも繋がる。
【図面の簡単な説明】
【００１３】
【図１Ａ】本発明における光ピックアップのＬＤＤとＬＤを接続する伝送路に関する構成であって、伝送路の二層構造部分において信号線路よりも電源線路の幅が広い場合を示す図である。
【図１Ｂ】図１Ａの斜視図であって、高さ方向の縮尺を広げたものである。
【図１Ｃ】図１Ａにおいて、信号線路よりも電源線路の幅が広い部分の断面図である。
【図１Ｄ】図１Ｃにおいて、電源線路の上部に配線層が形成された断面図である。
【図２】本発明における光ピックアップのＬＤＤとＬＤを接続する伝送路に関する構成であって、伝送路の二層構造部分において電源線路よりも信号線路の幅が広い場合を示す図である。
【図３】本発明における光ピックアップのＬＤＤとＬＤを接続する伝送路に関する構成であって、伝送路の二層構造部分において信号線路よりも接地線路の幅が広い場合を示す図である。
【図４Ａ】本発明における光ピックアップのＬＤＤと第一のＬＤと第二のＬＤを接続する伝送路に関する構成であって、伝送路の二層構造部分において第一および第二の信号線幅及び線路間の間隔の和よりも接地線路の線路幅の方が広い場合を示す図である。
【図４Ｂ】図４Ａにおいて、信号線路よりも電源線路の幅が広い部分の断面図である。
【図５Ａ】従来の光ピックアップのＬＤＤとＬＤを接続する伝送路に関する構成であって、伝送路の二層構造部分において信号線路と電源線路の幅が等しい場合を示す図である。
【図５Ｂ】図５Ａにおいて、信号線路と電源線路との幅が等しい場合の断面図である。
【図６】従来の金属製の光ピックアップ本体を有する光ピックアップのＬＤＤとＬＤを接続する伝送路に関する構成であって、伝送路の二層構造部分において信号線路と電源線路の幅が等しい場合を示す図である。
【図７Ａ】図５Ｂの構成において信号線路にＬＤ駆動電流を流した場合に生じる電界強度分布を示す図である。
【図７Ｂ】図１Ｃの構成において信号線路にＬＤ駆動電流を流した場合に生じる電界強度分布を示す図である。
【図８Ａ】従来の構成の光ピックアップおよびそれを用いた光ディスク装置において、Ｂｌｕ−ｒａｙ  Ｄｉｓｃに１６倍速記録を行なった場合における電界強度の周波数分布を１０ｍ法に基づいて測定した結果を示す図である。
【図８Ｂ】本発明を適用した構成の光ピックアップおよびそれを用いた光ディスク装置において、Ｂｌｕ−ｒａｙ  Ｄｉｓｃに１６倍速記録を行なった場合における電界強度の周波数分布を１０ｍ法に基づいて測定した結果を示す図である。
【図９Ａ】本発明における光ピックアップのＬＤを実装する二層構造のＦＰＣにおいて、電源線路が折り曲げ部分では他の部分よりも細くなっているとともに信号線路よりも広いことを示す図である。
【図９Ｂ】図９Ａの斜視図を示す図である。
【図１０】本発明における光ディスク装置全体の構成図。
【発明を実施するための形態】
【００１４】
以下、本発明を実施するための形態を各実施例として、図面を参照しながら示す。なお、図面では本発明に関する部分は模式的に明示されているが、例えば光ピックアップの光学レンズやその他の回路素子など、本発明に関係しない部材や配線は適宜省略されており、また、図示する形状及び寸法に関する情報は概略を示したものとなっている。
【実施例１】
【００１５】
図１は、本発明の第１の実施例を示す図である。第一のフレキシブルプリント基板（ＦＰＣ）７上にレーザダイオード（ＬＤ）１を駆動するためのレーザダイオードドライバ（ＬＤＤ）２が実装されており、第二のフレキシブルプリント基板（ＦＰＣ）８にＬＤ１が実装されている。ＦＰＣ７、８の上側にはＬＤ１やＬＤＤ２を放熱するための少なくとも１つ以上の放熱カバー５が配置されており、下側には非金属(例えば樹脂製)の光ピックアップ本体６が配置されている。また、ＦＰＣ７，８にはＬＤＤ２の第一の出力端とＬＤ１のカソード端を接続するとともにＬＤ電流を伝送する信号線路３と、ＬＤ１に十分なオン電圧(閾値電圧)を供給するＬＤ駆動用の電源端子１０とＬＤ１のアノード端と接続された電源線路４が信号線路３と隣接して配線される。また、信号線路３と電源線路４は少なくとも1箇所以上で上下に対抗して配置される二層構造を有している。
【００１６】
本実施例における光ピックアップおよびそれを用いた光ディスク装置では、二層構造部分において電源線路４が放熱カバー５側に配線されており、かつ信号線路３の線路幅よりも両側に拡幅されている。
【００１７】
なお、電源線路４と接続される第一の電源端子１０と、ＬＤＤ２を駆動するための第二の電源端子９と、ＬＤＤ２の接地電位１１は、光ディスク装置内で信号処理等を行なうプリント回路基板上の所定の端子と接続されるが、ここでは光ピックアップ以外の構成は省略して表記した。
【００１８】
また、ＦＰＣ７、８の接続点付近やＦＰＣ８とＬＤ１の接続点付近においては、同一層に両者を接続するための接続パッドが設けられているため、信号線路３と電源線路４もまた同一層に配線されるが、配線長が短いため図1における表記は二層構造部分１４のみを表記した。
【００１９】
また、ＦＰＣ７はＬＤＤ２などの部材を実装するためのものであって、その形状を湾曲させたり折り曲げたりする必要がない場合などは、通常のプリント基板が用いられることもあるが、その場合においても本実施例における効果は何ら変わりない。
【００２０】
また、ＦＰＣ７とＦＰＣ８が一つのＦＰＣにて構成される場合もあるが、その場合においても本実施例における効果は何ら変わりない。
【００２１】
また、ＦＰＣ７における電源線路４は信号線路３と隣接して配線されることが望ましいが、バイパスコンデンサ１３などを介して接地電位と高周波的に短絡されている場合、接地電位を提供する線路と信号線路３が隣接して配線されていても良い。
【００２２】
本実施例の上記構成によれば、低コストに電磁放射を抑制可能な光ピックアップおよびそれを用いた光ディスク装置を提供出来るが、その理由、すなわち上記構成から上記効果がもたらされるメカニズムを以下に示す。
【００２３】
まず、本実施例における上記の構成において、電磁放射の主要因となるＬＤ駆動電流の振る舞いについて説明する。ＬＤ電流はＬＤＤ２の出力端、信号線路３、ＬＤ１、電源線路４、バイパスコンデンサ１３、ＬＤＤの接地電位１１を通る電流ループを流れる。しかし、ＦＰＣ７，８と放熱カバー５が近接している場合は、ＬＤ電流に伴って発生する電磁放射によって放熱カバー５にも電流が流れる可能性がある。放熱カバー５はＬＤＤ接地面１１とネジなどの接触点１６で電気的に接続されているため、放熱カバーと結合した電流はこの帰還電流経路１５を介してＬＤＤ接地面１１へと戻るループを流れる。
【００２４】
この電流ループを構成する経路のうち、放熱カバー５とＬＤＤ接地面との接続点１６の数は一般に１〜２箇所程度と少ないために、接地面から見た電流ループのインピーダンスが高い場合は、光ディスク装置内の他の部品と二次的に電磁結合することで新たな電流ループを流れることも考えられる。光ディスク装置内の構成は非常に複雑なために、上記二次的な電流ループを特定することは困難であり、経路途中の様々な部品における物理的寸法との共振（電磁放射）を特定することも困難と言える。
【００２５】
従って、伝送路からの電磁放射を放熱カバー５などのシールドによって光ピックアップ内に閉じ込めるよりも、伝送路からの放射を減らす、または放熱カバー５への放射を減らすことが光ディスク装置の電磁放射低減にとって最も効果的である。そこで、従来はＦＰＣ７，８における二層構造部分１４の信号線路３と電源線路４の線路幅が等しかったことに対し(図５Ｂ)、本実施例では放熱カバー５に近い電源線路４の幅を広げることとした。すなわち、図１Ｃに示すように、左右対称に線路幅を拡幅した。
【００２６】
従来、信号線路３と電源線路４の線路幅が等しく設計されていた背景として、様々な制約条件のもとで設計されていたことが挙げられる。例えば、高速パルス応答のためのＬＤ入力インピーダンスに対する特性インピーダンスや、ＬＤ駆動電流を伝送するための電流容量、ＬＤ実装に伴う曲げ応力、および外力に対する強度、および光ピックアップの小型・薄型化のために省スペース（小面積）指針による制限などである。
【００２７】
しかし、この構造ではＬＤ駆動電流が流れたときのＦＰＣ周辺の電磁界の強度はほぼ同心円状に広がるため、放熱カバー５などの金属導体が近接する場合は電磁結合し易くなる。図７Ａは従来構成のＦＰＣ８の断面方向の電界強度分布を計算した結果を示す図であり、ほぼ同心円状に電磁界が広がっていることが確認出来る。このため、ＦＰＣ８と近接する放熱カバー５に対して強い電磁界が放射されることになる。
【００２８】
本実施例によれば、電磁界強度の分布を放熱カバー５と逆側（光ピックアップ本体側）に集中させられるため、放熱カバー５との電磁結合を低減可能となり、結果的に光ディスク装置内を流れる予測不能な電流経路を流れる電流の絶対量を削減可能となる。図７Ｂは本実施例を適用したＦＰＣ８の断面方向の電界強度分布を計算した結果を示す図であり、放熱カバー５と逆側に電磁界が広がっていることが確認出来る。すなわち、放熱カバー５に対して放射される電磁界強度は図７Ａの場合よりも低減する効果がある。
【００２９】
なお、片側を広げたことによる特性インピーダンスの変化はＬＤの個体ばらつきに比べて小さいため、インピーダンス整合すなわちＬＤ電流波形品質の点では問題がないことが確認されている。また、ＦＰＣの材質や製造ベンダによって異なるが、ある一定の線路幅以下であれば応力による屈曲性能等の信頼性低下は問題とならないため、その範囲内で幅を広げることで本実施例の構造が採用可能となる。
【００３０】
次に、本実施例の上記の効果を確認するため、発明者らが独自に実施した実験の結果に基づき、信号線路３と電源線路４の寸法変更の詳細と、それを実施したことに伴う電磁放射低減効果について、具体的な例を以って説明する。尚、ここで示す数値はあくまでも一例であって、本発明は必ずしもこれに限定されない。
【００３１】
従来の光ピックアップおよびそれを用いた光ディスク装置でＢＤ（Ｂｌｕ−ｒａｙ（登録商標）Ｄｉｓｃ）に１６倍速記録を行なった場合の電磁放射を、電波法に基づいた規格（例えばＣＩＳＰＲなど）で定められた１０ｍ法により電界強度を測定したところ、図８Ａに示すように最大３９ｄＢμＶ／ｍという結果が得られた。二層構造部分の信号線路３と電源線路４の幅はそれぞれ３００ｕｍであり、測定で観測された放射スペクトル成分は、上記で説明した電磁放射によるものと考えられる。
【００３２】
なお、図８Ａに示す測定結果が広帯域に分布している理由は以下の通りである。すなわち、光ディスクの記録にはいくつかの方式があり、今回実施した実験における記録方式はＣＡＶ(Ｃｏｎｓｔａｎｔ Ａｎｇｕｌａｒ Ｖｅｌｏｃｉｔｙ)方式と呼ばれるもので、ディスク回転の角速度が一定でディスクの内周から外周へと記録が進むに従い記録速度が連続的に高速化(クロック周波数が高周波化)する。ＢＤ16倍速ＣＡＶ記録の場合は約４００ＭＨｚ(最内周)から１０５６ＭＨｚ(最外周)まで変化するために図８Ａに示すように周波数が掃引されたようなスペクトル分布となっている。
【００３３】
次に、本実施例の構成を適用した光ピックアップおよび光ディスク装置において、上記と同様の実験を行なった。具体的には、ＦＰＣ８において放熱カバー５に近い電源線路４の幅を２ｍｍ前後とし、そのほかの条件については上記と全く同様である。その結果、図８Ｂに示すように最大電界強度は３２ｄＢμＶ／ｍまで低下しており、本実施例の適用により電磁放射が低減可能であることが確認された。
【００３４】
以上のことから、二層構造部分において信号線路３と電源線路４のうち放熱カバー５に近い電源線路４における線路幅を信号線路３の線路幅よりも広くすることで、放熱カバー５への電磁結合を低減させることが出来る。その結果光ディスク装置自身からの電磁放射を低減可能で、追加の部材なしで対策することが可能となるため、低コストに電磁放射を低減した光ピックアップおよび光ディスク装置を提供可能である。
【００３５】
なお、上述したように線路幅の広さは応力による制限があるが、幅を広げるほど電磁界を放熱カバー５と逆側に集中させられるためより高い電磁放射の低減効果が得られる。
【００３６】
また、線路幅を広げた電源線路４の線路幅は一定である必要はなく、任意に線路幅を変えて配線しても電磁放射の低減効果が得られるが、上記の通りなるべく広い方が好適である。
【００３７】
また、図１Ｃに示したように、線路幅を広げた電源線路４は、信号線路３に対して左右にバランス良く線路幅を広げることで、より効率よく電磁放射の低減効果が得られる。
【００３８】
また、図１ＣではＦＰＣ８と放熱カバーの間には何も配置されていないが、例えば図１Ｄのように第三のＦＰＣとその配線２４やＦＰＣ７などの配線基板が間に設置されても、放熱カバー５に近い方の電源線路４の線路幅を広くすれば同様の効果が得られることは自明である。
【実施例２】
【００３９】
本発明における第２の実施例を図２に示す。図２は図１に示す光ピックアップの二層構造部分において、信号線路３が放熱カバー５側に配置されており、かつ電源線路４の線路幅よりも広いことを示している。
【００４０】
本実施例によれば、信号線路３にＬＤ駆動電流を流した場合に生じる電磁界強度分布は放熱カバー５と逆側に集中するため、放熱カバーへの結合を低減させることが出来る。また、二層構造部分１４における特性インピーダンスは実施例１の構成と同じになるため、ＬＤ駆動電流波形の品質を劣化させることなく実施可能である。上記効果が得られる理由については、実施例１と同様である。
【実施例３】
【００４１】
本発明における第３の実施例を図３に示す。ＦＰＣ７上にＬＤ１を駆動するためのＬＤＤ２が実装されており、ＦＰＣ８にＬＤ１が実装されている。ＦＰＣ７、８の上側にはＬＤ１やＬＤＤ２を放熱するための少なくとも１つ以上の放熱カバー５が配置されており、下側には非金属(例えば樹脂製)の光ピックアップ本体６が配置されている。また、ＦＰＣ７，８にはＬＤＤの第一の出力端とＬＤのアノード端とを接続するとともにＬＤ駆動電流を伝送する信号線路３と、ＬＤＤに接地電位を与えるとともにＬＤのカソード端と接続された接地線路１７が信号線路３と隣接して配線される。また、信号線路３と接地線路１７は少なくとも1箇所以上で上下に対抗して配置される二層構造を形成しており、ＦＰＣ８における二層構造部分１４においては信号線路３が接地線路１７よりも広くなっている。また、ＬＤＤ駆動用の電源端子９は、ＬＤＤの電源入力端子と接続されており、更にＬＤＤの近傍に設置されたバイパスコンデンサ１３を介して接地線路１７と接続されている。そのほかの構成要素については実施例１，２と同様である。
【００４２】
本実施例の構成を適用することにより、信号線路３にＬＤ駆動電流を流した場合に生じる電磁界強度分布は放熱カバー５と逆側に集中するため、放熱カバーへの結合を低減させることが出来、上記効果が得られる理由については、実施例１、２と同様である。
【００４３】
また、実施例１に対する実施例２のように、ＦＰＣ８における二層構造部分１４において、接地線路１７を放熱カバー側に配置して線路幅を信号線路３よりも広げることによっても同等の効果が得られるが、この理由についても実施例２で説明したものと全く同様である。
【００４４】
なお、本実施例におけるＬＤ１はＣＤやＤＶＤ用のＬＤ(波長６００〜８００ｎｍ)に代表されるもので、オン電圧が２Ｖ前後で微分抵抗値が４Ω前後と小さい。このため、数百ｍＡの電流でＬＤ駆動しても、５Ｖで動作するＬＤＤに対して十分な駆動力が確保出来るため、アノード側に駆動電流を入力し、カソード側に接地電位を与えている。
【００４５】
一方、実施例１、２におけるＬＤ１はＢＤ用のＬＤ（波長４００ｎｍ程度）に代表されるもので、オン電圧が約３Ｖで微分抵抗値が１０〜４０Ω程度と高いため、数百ｍＡの電流でＬＤ駆動した場合、５Ｖで動作するＬＤＤに対して十分な駆動力が確保できない。そのため、アノード側に外部からの電源を供給し、カソード側に駆動電流を入力している。
【実施例４】
【００４６】
図４は、本発明の第４の実施例を示す図である。ＦＰＣ７上にＬＤ１とＬＤ１９を駆動するためのＬＤＤ２が実装されており、ＦＰＣ８にＬＤ１とＬＤ１９が実装されている。ＦＰＣ７、８の上側にはＬＤ１やＬＤ１９、ＬＤＤ２を放熱するための少なくとも１つ以上の放熱カバー５が配置されており、下側には非金属(例えば樹脂製)の光ピックアップ本体６が配置されている。また、ＦＰＣ７，８にはＬＤＤ２の第一の出力端とＬＤ１のアノード端を接続するとともにＬＤ駆動電流を伝送する信号線路３と、ＬＤＤ２の第二の出力端とＬＤ１９のアノード端を接続するとともにＬＤ駆動電流を伝送する信号線路１８と、ＬＤＤ２に接地電位を供給するとともにＬＤ１のカソード端とＬＤ１９のカソード端に接続された接地線路１７が信号線路３ならびに信号線路１８と隣接して配線される。また、信号線路３と信号線路１８は少なくとも1箇所以上で接地線路１７に対して上下に対抗して配置される二層構造を形成しており、ＦＰＣ８における二層構造部分１４においては信号線路３と信号線路１８の線路幅とそれらの線路間隔を足した寸法よりも接地線路１７の線路幅の方が広くなっている。そのほかの構成要素については実施例１，２と同様である。
【００４７】
本実施例の構成を適用することにより、信号線路３にＬＤ１を駆動する電流を流した場合、ならびに信号線路１８にＬＤ１９を駆動する電流を流した場合に生じる電磁界強度分布は放熱カバー５と逆側に集中するため、放熱カバーへの結合を低減させることが出来、上記効果が得られる理由については、実施例１と同様である。
【実施例５】
【００４８】
本発明における第５の実施例を図９に示す。図５Ａは図１に示す光ピックアップの二層構造部分を有する第二のＦＰＣ８における上面部、図５Ｂは斜視図を示す。ＬＤ１はＬＤＤ２などの実装面に対して三次元的に配置されるため、ＦＰＣ８の折り曲げ部２５を有する。この部分において接地線路４の線路幅をそれ以外の部分に比べて狭くするとともに信号線路３の線路幅よりは広いことを示している。
【００４９】
本実施例によれば、信号線路３にＬＤ駆動電流を流した場合に生じる電磁界強度分布は放熱カバー５と逆側に集中するため、放熱カバーへの結合を低減させることが出来る。また、ＦＰＣ８の折り曲げ部分では応力が低下するため、信頼性を維持しながら上記効果も得ることが出来るという利点がある。上記効果が得られる理由については、実施例１と同様である。
【００５０】
また、上記信号線路３と接地線路４が実施例２のように配線されている場合や、実施例３，４のように配線されている場合でも得られる効果は本実施例と同等である。
【００５１】
また、本実施例は複数箇所に渡って実施することも可能で、湾曲または折り曲げ部を有する箇所であればそれらの部分に対して本実施例を実施することで、上記と同様の効果が得られる。
【００５２】
最後に、図１０に本発明における光ディスク装置全体の構成図を示す。デジタルシグナルプロセッサ（ＤＳＰ）では、ディスクに情報を記録するためのレーザ光を変調するためのライトストラテジ信号の情報を生成し、その情報をデジタル変換して出力する。出力されたライトストラテジ信号の情報は伝送路２６を介してＬＤＤへ伝送される。ここで通信される信号にはLow voltage differential signaling(ＬＶＤＳ)方式が用いられることが多い。ＬＤＤはＤＳＰからの信号をアナログ変換すなわちライトストラテジ信号に変換して、ＬＤの駆動電流として出力する。ＬＤは駆動電流に従ってレーザ光を照射し、光ディスクに対して記録を行なう。
【００５３】
ＬＤＤとＬＤが接続される伝送路２６では、シングルエンド方式等が用いられ、本発明を適用することでその上方に形成された放熱カバーへの電磁放射を減らすことが出来る。また、放熱カバーへの電磁放射に起因して光ディスク装置内に流れる電流の量も低減出来るため、光ディスク装置が持つ構造（シャーシ２８やカバー２９など）の物理的寸法による共振すなわち電磁放射も低減可能となり、電磁放射の少ない光ディスク装置を提供することが可能となる。また、上記放熱カバーへの電磁放射に起因して光ディスク装置内に流れる電流は、他のチップや信号配線、電源配線などに漏洩することもあるため誤動作を引き起こす可能性もあるが、本発明の適用により誤動作のリスクを低減することが出来る。
【００５４】
なお、図１０に示す構成は一般的な光ディスク装置におけるものであるが、本実施例は他の構成を有する光ディスク装置に対しても同様の効果を得ることが可能である。
【００５５】
以上、本発明における各実施例によれば、低コストに電磁放射を低減可能な光ピックアップおよびそれを用いた光ディスク装置を提供可能となる。
【符号の説明】
【００５６】
１.レーザダイオード 
２.レーザダイオードドライバ 
３.レーザダイオード変調信号線路 
４.電源線路 
５.光ピックアップ放熱カバー 
６.光ピックアップ本体(樹脂製)
７.第一のフレキシブルプリント基板 
８. 第二のフレキシブルプリント基板 
９.ＬＤＤ駆動用の電源端子 
１０.ＬＤ駆動用の電源端子
１１.接地電位 
１３.バイパスコンデンサ 
１４. 二層構造部分 
１５.放熱カバーから回り込む帰還電流経路 
１６.放熱カバーとレーザドライバの接地電位の接続点 
１７.接地線路 
１８.第二の信号線路 
１９.第二のレーザダイオード 
２０.放熱カバーと光ピックアップ本体の接続点 
２１.光ピックアップ本体（金属製） 
２２.光ピックアップ本体から回り込む帰還電流経路 
２３.レーザダイオードドライバの接地電位との接続点 
２４.第三のフレキシブルプリント基板とその配線
２５.第二のフレキシブルプリント基板の折り曲げ部
２６.伝送路 
２７.光ピックアップ
２８.光ピックアップを搭載するシャーシ
２９.光ディスク装置のカバー
３０.光ディスク
【図１Ａ】
2013093075.tif 000003
【図１Ｂ】
2013093075.tif 000004
【図１Ｃ】
2013093075.tif 000005
【図１Ｄ】
2013093075.tif 000006
【図２】
2013093075.tif 000007
【図３】
2013093075.tif 000008
【図４Ａ】
2013093075.tif 000009
【図４Ｂ】
2013093075.tif 000010
【図５Ａ】
2013093075.tif 000011
【図５Ｂ】
2013093075.tif 000012
【図６】
2013093075.tif 000013
【図７Ａ】
2013093075.tif 000014
【図７Ｂ】
2013093075.tif 000015
【図８Ａ】
2013093075.tif 000016
【図８Ｂ】
2013093075.tif 000017
【図９Ａ】
2013093075.tif 000018
【図９Ｂ】
2013093075.tif 000019
【図１０】
2013093075.tif 000020